(57)【要約】      （修正有）【課題】グリル内における被加熱物から落下する廃液を受けるトレー内に配設され、該廃液を吸収するためのグリル用廃液吸収シートを提供する。  【解決手段】グリル用廃液吸収シート１は、グリル１０内における被加熱物１１から落下する廃液１２を受けるトレー１３内に配設され、該廃液１２を吸収するためのものであり、液透過性を有する表面層２と、液不透過性又は液難透過性を有する裏面層３と、該両層間に介在し液吸収保持性を有する液吸収保持層４とを備えている。そして、表面層２を上向きにし液吸収保持層４の略全体に水を吸収保持させた状態でトレー１３内に配設されて使用されるように構成されている。【選択図】図２
0003126292.tif 000002
【実用新案登録請求の範囲】
【請求項１】
グリル内における被加熱物から落下する廃液を受けるトレー内に配設され、該廃液を吸収するためのグリル用廃液吸収シートであって、
液透過性を有する表面層と、
液不透過性又は液難透過性を有する裏面層と、
該両層間に介在し液吸収保持性を有する液吸収保持層と
を備え、
前記表面層を上向きにし前記液吸収保持層の略全体に水を吸収保持させた状態で前記トレー内に配設されて使用されるように構成されたグリル用廃液吸収シート。
【請求項２】
前記液吸収保持層は、高分子吸水樹脂を練り込んだ水溶性のパルプを含む請求項１記載のグリル用廃液吸収シート。
【請求項３】
前記液吸収保持層は、吸水性を有する繊維質の物を含む請求項１又は２記載のグリル用廃液吸収シート。
【請求項４】
吸水性を有する繊維質のシートの一方の面側を前記表面層とし、該繊維質のシートの他方の面側を前記液吸収保持層とした請求項１〜３のいずれか一項に記載のグリル用廃液吸収シート。
【請求項５】
前記表面層は、不燃性、難燃性又は耐熱性を有する請求項１〜４のいずれか一項に記載のグリル用廃液吸収シート。
【請求項６】
前記裏面層は、不燃性、難燃性又は耐熱性を有する請求項１〜５のいずれか一項に記載のグリル用廃液吸収シート。
【請求項７】
前記表面層は、不織布シート、織布シート、又はこれらの組み合わせを含む請求項１〜６のいずれか一項に記載のグリル用廃液吸収シート。
【請求項８】
前記裏面層は、不織布シート、織布シート、耐熱性樹脂シート、金属箔、又はこれらの組み合わせを含む請求項１〜７のいずれか一項に記載のグリル用廃液吸収シート。
【請求項９】
グリルのトレー内底部の大きさと略等しい大きさに形成された請求項１〜８のいずれか一項に記載のグリル用廃液吸収シート。
【考案の詳細な説明】
【技術分野】
【０００１】
本考案は、グリル内における被加熱物から落下する廃液を受けるトレー内に配設され、該廃液を吸収するためのグリル用廃液吸収シートに関するものである。
【背景技術】
【０００２】
コンロのグリルは、被加熱物から落下する廃液を受けるトレーを備えている。被加熱物の加熱中にコンロ内の温度が過度に上昇することを防止したり、廃液がトレーに固着したりすることを防止するために、トレーに水を張った状態で被加熱物を加熱することが一般的である。しかし、コンロの使用後、トレーの水の中に魚や肉の脂分を含む廃液が混ざり、時間がたつと悪臭も発生するので、使用の都度トレーを外し洗剤で洗わなければならないという欠点がある。
【０００３】
この欠点の解消を目的とする従来技術としては、特許文献１記載のグリル受け皿用水性組成物及び該組成物を使用するグリル調理方法を例示する。本技術は、水性ゲル化剤を必須成分として含有する、ゾル状又はスリラー状のグリル受け皿用水性組成物であり、加熱後冷却又は、金属塩を添加し加熱後冷却することによってゲル化すること、及び熱可逆性のゾルゲル転移点を有することを特徴とするものである。そして、本技術は、このグリル受け皿用水性組成物を調理前にグリル受け皿にしきつめておくことで、グリルで加熱調理後、常温まで冷却したときにゲル化し、グリル受け皿に落ちた廃液も同時に除去でき、グリル受け皿の洗浄が非常に簡便なものとなるようにすることを目的としている。
【０００４】
【特許文献１】特開２００３−１８５１５５号公報
【考案の開示】
【考案が解決しようとする課題】
【０００５】
ところが、前記従来技術では、加熱調理後に受け皿を清掃するには、該加熱調理により高温になっているグリル受け皿用水性組成物を冷却しゲル化させなければならない。この高温のグリル受け皿用水性組成物を室温程度まで冷却するために、自然に放置して冷えるまで待っていると時間がかかるし、積極的に冷却すると手間がかかるという課題がある。また、自然に放置して冷却する場合は、冷却に時間がかかるため使用者が冷却中であることを忘れてしまうことがあり、このことにより長時間放置しすぎてしまうと、グリル受け皿用水性組成物から水分が蒸発して固形化し、グリル受け皿に固着してしまい、グリル受け皿の洗浄に却って手間がかかることがあるという課題がある。
【課題を解決するための手段】
【０００６】
上記課題を解決するために、本考案のグリル用廃液吸収シートは、
グリル内における被加熱物から落下する廃液を受けるトレー内に配設され、該廃液を吸収するためのグリル用廃液吸収シートであって、
液透過性を有する表面層と、
液不透過性又は液難透過性を有する裏面層と、
該両層間に介在し液吸収保持性を有する液吸収保持層と
を備え、
前記表面層を上向きにし前記液吸収保持層の略全体に水を吸収保持させた状態で前記トレー内に配設されて使用されるように構成されている。
【０００７】
前記廃液とは、特に限定されないが、前記被加熱物から落下する油脂や水分等の液体をいう。
【０００８】
この構成によれば、被加熱物から落下する廃液が表面層を透過し、前記液吸収保持層に達するが、前記液吸収保持層に水を吸収保持させた状態となっているので、前記廃液は前記液吸収保持層の表面に付近に留まる。仮に、前記廃液が前記液吸収保持層内の水に溶け込んだとしても、前記裏面層が液不透過性又は液難透過性を有しており、該廃液が前記トレーに到達することを防止するようになっている。また、前記液吸収保持層に水を吸収保持させた状態となっているので、前記グリル内の温度と、該液吸収保持層の表裏に配設された前記表面層及び前記裏面層の温度とが過度に上昇することを防止することができる。そして、前記トレーから本考案の廃液吸収シートを取り出せば、前記廃液も同時に除去でき、前記トレーの洗浄や清掃が非常に簡便なものとなる。しかも、本考案の廃液吸収シートは、従来例とは異なり元々固体状のものなので、前記グリルの使用後、すぐに前記トレーから取り出すことができる。また、従来例とは異なり形態が変化しないので、冷却のために前記トレー内に長時間放置しておいても前記トレーに固着することがない。
【０００９】
前記液吸収保持層としては、特に限定されないが、次の態様を例示する。
（１）高分子吸水樹脂を練り込んだ水溶性のパルプを含む態様。
（２）吸水性を有する繊維質の物を含む態様。
（３）前記（１）及び（２）を組み合わせた態様。
【００１０】
また、吸水性を有する繊維質のシートの一方の面側を前記表面層とし、該繊維質のシートの他方の面側を前記液吸収保持層とした態様を例示する。
【００１１】
この構成によれば、構造を単純化できるので、コストを低減することができる。
【００１２】
前記表面層は、不燃性、難燃性又は耐熱性を有する態様を例示する。また、前記裏面層は、不燃性、難燃性又は耐熱性を有する態様を例示する。
【００１３】
これらの態様によれば、仮に、グリル内の熱により前記液吸収保持層に吸収保持された水が蒸発し、前記液吸収保持層が乾燥した場合でも、前記表面層や前記裏面層が溶けたり、燃えたりすることを防止できる。
【００１４】
前記表面層としては、特に限定されないが、不織布シート、織布シート、又はこれらの組み合わせを含む態様を例示する。
【００１５】
前記表面層の液透過性を向上させるために、例えば、該表面層に多数の小穴を設けたり、繊維密度の低い不織布シートを使用することもできる。
【００１６】
前記裏面層としては、特に限定されないが、不織布シート、織布シート、耐熱性樹脂シート、金属箔、又はこれらの組み合わせを含む態様を例示する。
【００１７】
前記裏面層に不織布シート又は織布シートを使用する場合には、その液難透過性を向上させるために、繊維密度の高いものを採用することが好ましい。
【００１８】
前記グリル用廃液吸収シートとしては、グリルのトレー内底部の大きさと略等しい大きさに形成された態様を例示する。
【考案の効果】
【００１９】
本考案に係るグリル用廃液吸収シートによれば、被加熱物から落下する廃液を受けるトレーの洗浄や清掃が非常に簡便なものとなるという優れた効果を奏する。
【考案を実施するための最良の形態】
【００２０】
図１〜図３は本考案を具体化した第一実施形態のグリル用廃液吸収シート１を示している。このグリル用廃液吸収シート１は、グリル１０内における食材等の被加熱物１１から落下する廃液１２（油脂、水分等）を受けるトレー１３内に、水を張る代わりに配設され、該廃液１２を吸収するためのものであり、液透過性を有する表面層２と、液不透過性を有する裏面層３と、該両層２，３間に介在し液吸収保持性を有する液吸収保持層４とを備えており、表面層２を上向きにし液吸収保持層４の略全体に水を吸収保持させた状態でトレー１３内に配設されて使用されるように構成されている。
【００２１】
表面層２は、不燃性を有する不織布シートからなっており、被加熱物１１の下方において、該被加熱物１１に対峙する上側に配設されている。この表面層２は、液透過性を有しているので、被加熱物１１から落下する廃液１２が透過し、液吸収保持層４へと到達するようになっている。表面層２の液透過性を向上させるために、例えば、表面層２に多数の小穴を設けたり、繊維密度の低い不織布シートを使用することもできる。
【００２２】
裏面層３は、耐熱性を有する樹脂としてのＰＥＴ（POLYETHYLENE TEREPHTHALATE）樹脂シートからなっており、トレー１３内の底面に当接する下側に配設されている。特に限定されないが、ＰＥＴ樹脂シートは約１７０°の耐熱性を備えたものとすることを例示する。ＰＥＴ樹脂シートの色は、特に限定されないが、透明のものとすることを例示する。また、万一ＰＥＴ樹脂シートが溶けた場合でもトレー１３に付着することを防止するために、ＰＥＴ樹脂シートにおけるトレー１３底面に当接する面に金属箔（例えば、厚さ約７〜２０μｍのアルミニウム箔）を貼り付けておくこともできる。また、ＰＥＴ樹脂シートにおける液吸収保持層４に当接する面に不織布シートを貼り付けておくこともできる。この裏面層３は、液不透過性を有しているので、液吸収保持層４に吸収保持されている水や廃液１２がトレー１３内の底部へ漏れないようになっている。
【００２３】
液吸収保持層４は、高分子吸水樹脂を練り込んだ水溶性のパルプからなっており、水を吸水すると、ゼリー状になるようになっている。液吸収保持層４としては、約５００ｍｌの水を吸水可能に構成することを例示する。
【００２４】
表面層２及び裏面層３は、ともに一般的なコンロ用グリル１０のトレー１３の底部の大きさと略等しいサイズ（本例では縦約２７ｃｍ、横約１９ｃｍの長方形）に形成されており、両層よりも液吸収保持層４のサイズは一回り小さめに形成されている。そして、グリル用廃液吸収シート１は、表面層２及び裏面層３の間に液吸収保持層４が挟み込まれた状態で、表面層２の周縁部及び裏面層３の周縁部が互いに接合（本例では熱溶着（５））されることにより形成されている。
【００２５】
次に、本グリル用廃液吸収シート１の使用方法について説明する。まず、本グリル用廃液吸収シート１をトレー１３内の底に敷き、表面層２に対し水１４を約３００〜５００ｍｌを注水する（図３（ａ）参照）。すると、水１４が表面層２を透過して液吸収保持層４に吸収され、これにより液吸収保持層４が膨張しジェリー状になる（図３（ｂ）参照）。次いで、グリル１０内において、被加熱物１１（図２では魚の場合を例示。）を加熱する。このとき、被加熱物１１から落下する廃液１２は、表面層２を透過するが、液吸収保持層４に水を吸収保持させた状態となっているので、液吸収保持層４の表面に付近に留まる（図３（ｃ）参照）。また、被加熱物１１から落下する焦げたカス等の廃物は表面層２の表面に回収される。加熱後、本グリル用廃液吸収シート１を取り出すだけで、廃液１２及び廃物も同時に除去できる。
【００２６】
以上のように構成された本考案のグリル用廃液吸収シート１によれば、被加熱物１１から落下する廃液１２が表面層２を透過し、液吸収保持層４に達するが、液吸収保持層４に水を吸収保持させた状態となっているので、廃液１２は液吸収保持層４の表面に付近に留まる。仮に、廃液１２が液吸収保持層４内の水に溶け込んだとしても、裏面層３が液不透過性を有しているので、該廃液１２がトレー１３には到達しないようになっている。また、液吸収保持層４に水を吸収保持させた状態となっているので、グリル１０内の温度と、該液吸収保持層４の表裏に配設された表面層２及び裏面層３の温度とが過度に上昇することを防止することができる。そして、トレー１３から本考案の廃液吸収シートを取り出せば、廃液１２も同時に除去でき、トレー１３の洗浄や清掃が非常に簡便なものとなる。しかも、本考案の廃液吸収シートは、従来例とは異なり固体状のものなので、グリル１０の使用後、すぐにトレー１３から取り出すことができる。また、従来例とは異なり形態が変化しないので、冷却のためにトレー１３内に長時間放置しておいてもトレー１３に固着することがない。
【００２７】
また、表面層２は不燃性を有し、裏面層３は耐熱性を有しているので、仮に、グリル１０内の熱により液吸収保持層４に吸収保持された水が蒸発し、液吸収保持層４が乾燥した場合でも、表面層２や裏面層３が溶けたり、燃えたりすることを防止できる。
【００２８】
次に、図４は本考案を具体化した第二実施形態のグリル用廃液吸収シート２１を示している。このグリル用廃液吸収シート２１は、以下に示す点において、主に第一実施形態と相違している。従って、同実施形態と共通する部分については、同一符号を付することにより重複説明を省く。
【００２９】
本例では、吸水性を有する繊維質のシート２２の一方の面側を表面層２とし、該繊維質のシート２２の他方の面側を液吸収保持層４としている。繊維質のシート２２としては、特に限定されないが、不織布シート、織布シート、又はこれらの組み合わせを含むシートを例示する。液吸収保持層４としては、その繊維間に約５００ｍｌの水を吸水可能に構成することを例示する。また、裏面層３は第一実施形態と同様に構成されている。そして、繊維質のシート２２及び裏面層３は、ともに一般的なコンロ用グリルのトレーの底部の大きさと略等しいサイズに形成されている。そして、本例のグリル用廃液吸収シート２１は、繊維質のシート２２の周縁部及び裏面層３の周縁部が互いに接合（本例では熱溶着（５））されることにより形成されている。
【００３０】
次に、本例のグリル用廃液吸収シート２１の使用方法について説明する。まず、本グリル用廃液吸収シート２１をトレー１３内の底に敷き、表面層２に対し水１４を約３００〜５００ｍｌを注水する（図４（ａ）参照）。すると、水１４が表面層２を透過して液吸収保持層４に吸収される（図４（ｂ）参照）。次いで、グリル内において、被加熱物を加熱する。このとき、被加熱物から落下する廃液１２は、表面層２を透過するが、液吸収保持層４に水を吸収保持させた状態となっているので、液吸収保持層４における水１４の表面に付近に留まる（図４（ｃ）参照）。また、被加熱物から落下する焦げたカス等の廃物は表面層２の表面に回収される。加熱後、本グリル用廃液吸収シート２１を取り出すだけで、廃液１２及び廃物も同時に除去できる。
【００３１】
本例のグリル用廃液吸収シート２１よれば、第一実施形態と同様の効果に加え、同実施形態よりも構造を単純化できるので、コストを低減することができる。
【００３２】
なお、本考案は前記実施形態に限定されるものではなく、考案の趣旨から逸脱しない範囲で適宜変更して具体化することもできる。
【図面の簡単な説明】
【００３３】
【図１】本考案を具体化した第一実施形態に係るグリル用廃液吸収シートの使用状態を示す断面図である。
【図２】同グリル用廃液吸収シートの一部破断斜視図である。
【図３】同グリル用廃液吸収シートの使用手順を示す断面図である。
【図４】本考案を具体化した第二実施形態に係るグリル用廃液吸収シートの使用手順を示す断面図である。
【符号の説明】
【００３４】
１  グリル用廃液吸収シート
２  表面層
３  裏面層
４  液吸収保持層
５  熱溶着部
１０  コンロ用グリル
１１  被加熱物
１２  廃液
１３  トレー
１４  水
２１  グリル用廃液吸収シート
２２  繊維質のシート
【図１】
0003126292.tif 000003
【図２】
0003126292.tif 000004
【図３】
0003126292.tif 000005
【図４】
0003126292.tif 000006